(57)【要約】【課題】ボタン部材のがたつきを防止することができるインターホン機器を提供する。【解決手段】ボタン部材１０の操作部１１に、その外周面の後端から外方へ突設された鍔片１２を設ける一方、カバー部材２０における操作段部２１の上側に、前方へ突出する支持段部２４を設けており、支持段部２４の前面上に鍔片１２の上辺部１２ａを位置させた状態で、操作窓９を介して操作部１１が前ケース２から前方へ突出するように前ケース２を配置させることで、操作窓９の後面側の開口周縁と支持段部２４の前面とにより、上辺部１２ａを前後から挟持させるようにした。【選択図】図７
2020156050.tif 000002
【特許請求の範囲】
【請求項１】
本体ケースの前面に、操作窓が開設されているとともに、
前記本体ケース内に、
スイッチが搭載されたスイッチ基板と、
弾性を有する合成樹脂によりシート状に成形されているとともに、前記本体ケースの前後方向へ移動可能な操作段部が前方へ突設されてなり、前記操作段部が前記スイッチの前側に位置するように配置されたカバー部材と、
前記操作窓を介して前記本体ケースから前方へ突出する操作部を有し、当該操作部が前記操作段部の前面上に位置するように取り付けられたボタン部材と
が設けられており、
前記ボタン部材の前記操作部を後側へ押し込み操作することにより、前記スイッチを操作可能なインターホン機器であって、
前記操作部の上面に、上方へ突出する鍔片が設けられている一方、
前記カバー部材における前記操作段部の上側に、前方へ突出する支持段部が設けられており、
前記ボタン部材が、前記鍔片の後面を前記支持段部の前面上に位置させた状態で取り付けられ、前記鍔片が前記本体ケースにおける前記操作窓の開口周縁と前記カバー部材とにより前後から挟持されていることを特徴とするインターホン機器。
【請求項２】
前記鍔片の後面に、後方へ突出する凸条が設けられており、
前記凸条と前記支持段部の前面とが当接していることを特徴とする請求項１に記載のインターホン機器。
【発明の詳細な説明】
【技術分野】
【０００１】
本発明は、たとえば集合玄関機等のユーザーが使用する操作ボタンを備えたインターホン機器に関するものである。
【背景技術】
【０００２】
従来、集合住宅の玄関に設置される集合玄関機といったインターホン機器には、来訪者が呼び出す部屋番号を特定する際に操作するテンキー等の各種操作ボタンが備えられている。たとえば特許文献１に記載の機器では、スイッチが搭載されたスイッチ基板の前側に、弾性を有する合成樹脂製のカバー部材を配置させるとともに、カバー部材の前側に、カバー部材越しにスイッチを操作するためのボタン部材を取り付けてなる操作ボタンが備えられている。そして、ボタン部材の取付構造としては、カバー部材に前方へ突出する操作突起を設けるとともに、該操作突起を前側から覆うようにボタン部材を取り付けるという構造を採用している。
【先行技術文献】
【特許文献】
【０００３】
【特許文献１】特開２００９−２０５９２５号公報
【発明の概要】
【発明が解決しようとする課題】
【０００４】
しかしながら、上記構造でボタン部材を取り付けると、取付状態においてボタン部材ががたつくという問題があった。
【０００５】
そこで、本発明は、上記問題に鑑みなされたものであって、ボタン部材のがたつきを防止することができるインターホン機器を提供しようとするものである。
【課題を解決するための手段】
【０００６】
上記目的を達成するために、本発明のうち請求項１に記載の発明は、本体ケースの前面に、操作窓が開設されているとともに、本体ケース内に、スイッチが搭載されたスイッチ基板と、弾性を有する合成樹脂によりシート状に成形されているとともに、本体ケースの前後方向へ移動可能な操作段部が前方へ突設されてなり、操作段部がスイッチの前側に位置するように配置されたカバー部材と、操作窓を介して本体ケースから前方へ突出する操作部を有し、当該操作部が操作段部の前面上に位置するように取り付けられたボタン部材とが設けられており、ボタン部材の操作部を後側へ押し込み操作することにより、スイッチを操作可能なインターホン機器であって、操作部の上面に、上方へ突出する鍔片が設けられている一方、カバー部材における操作段部の上側に、前方へ突出する支持段部が設けられており、ボタン部材が、鍔片の後面を支持段部の前面上に位置させた状態で取り付けられ、鍔片が本体ケースにおける操作窓の開口周縁とカバー部材とにより前後から挟持されていることを特徴とする。
請求項１に記載の発明によれば、ボタン部材が、操作部の上面から上方へ突設された鍔片の後面を、操作段部の上側において前方へ突設されている支持段部の前面上に位置させた状態で取り付けられており、鍔片が本体ケースにおける操作窓の開口周縁とカバー部材とにより前後から挟持されている。したがって、取付状態にあるボタン部材のがたつきを効果的に防止することができる。
【０００７】
請求項２に記載の発明は、請求項１に記載の発明において、鍔片の後面に、後側へ突出する凸条が設けられており、凸条と支持段部の前面とが当接していることを特徴とする。
請求項２に記載の発明によれば、鍔片の後面に、後方へ突出する凸条が設けられており、凸条と支持段部の前面とが当接しているため、ボタン部材を押し込み操作する際、凸条の先端が支点となって操作部が押し込まれることになり、押し込み操作をスムーズに行うことができる。
【発明の効果】
【０００８】
本発明によれば、ボタン部材が、操作部の上面から上方へ突設された鍔片の後面を、操作段部の上側において前方へ突設されている支持段部の前面上に位置させた状態で取り付けられており、鍔片が本体ケースにおける操作窓の開口周縁とカバー部材とにより前後から挟持されている。したがって、取付状態にあるボタン部材のがたつきを効果的に防止することができる。
【図面の簡単な説明】
【０００９】
【図１】集合玄関機を前側から示した斜視説明図である。
【図２】集合玄関機の前ケースを前側から示した斜視説明図である。
【図３】ボタン部材を前側から示した斜視説明図である。
【図４】１つのボタン部材を後側から示した斜視説明図である。
【図５】カバー部材を前側から示した斜視説明図である。
【図６】カバー部材を後側から示した斜視説明図である。
【図７】集合玄関機のボタン部分の鉛直断面を示した説明図である。
【発明を実施するための形態】
【００１０】
以下、本発明の一実施形態となる集合玄関機について、図面にもとづき詳細に説明する。
【００１１】
図１は、集合玄関機１を前側から示した斜視説明図である。図２は、集合玄関機１の前ケース２を前側から示した斜視説明図である。図３は、ボタン部材１０、１０・・を前側から示した斜視説明図である。図４は、１つのボタン部材１０を後側から示した斜視説明図である。図５は、カバー部材２０を前側から示した斜視説明図である。図６は、カバー部材２０を後側から示した斜視説明図である。図７は、集合玄関機１のボタン部分の鉛直断面を示した説明図である。
【００１２】
集合玄関機１は、所謂集合住宅インターホンシステムの一部として使用されるものであって、前側に配置される前ケース２と、後側に配置される後ケース（図示せず）と、前ケース２の前面に取り付けられる化粧カバー３とで構成される本体ケースを有しており、本体ケースの前面上部には、各住戸に設置される住戸端末（図示せず）との間で通話するための通話部４、本体ケースの前方を撮像するためのカメラ部５等が設けられている。また、本体ケースの前面中央部には、テンキー７、７・・及び呼出ボタン８等を含むボタン部６が設けられている。そして、このような集合玄関機１は、集合住宅の玄関の壁面等に設置されており、来訪者によりテンキー７等が押し込み操作されて呼び出す住戸が特定された後、呼出ボタン８が押し込み操作されると、対応する住戸の住戸端末を呼び出すようになっている。
【００１３】
ここで、本発明の要部となるボタン部６について詳細に説明する。
ボタン部６は、各種スイッチ３１、３１・・が搭載されたスイッチ基板３０と、スイッチ基板３０の前側に配置されるカバー部材２０と、カバー部材２０の前面に取り付けられるボタン部材１０、１０・・・とを有する。また、前ケース２には、ボタン部材１０の操作部１１を挿通可能な複数の操作窓９、９・・が上下方向へ所定の間隔毎に並設されており、各操作窓３２の開口周縁とカバー部材２０とにより、各ボタン部材１０を後述するような状態で前後から挟持するようになっている。
【００１４】
ボタン部材１０は、後方に開口する略方体箱状に成形された操作部１１と、操作部１１の外周面（上面、左右両側面、及び下面）の後端から夫々外方へ突出する鍔片１２とを備えてなる。また、鍔片１２の上辺部（操作部１１の上面後端から上方へ突出する部分）１２ａは、後述する支持段部２４の左右長さと同じ左右長さにわたって前方へせり出しており、当該せり出し部分の後側の空間が支持段部２４の前端を収納可能な収納空間１３となっている。さらに、上辺部１２ａの後面上端で収納空間１３内となる箇所には、後方へ突出する凸条１４が左右方向へ延設されている。
【００１５】
カバー部材２０は、弾性を有する合成樹脂（たとえばシリコンゴム）により成形されたシート状の部材であって、スイッチ基板３０の前側に配置した際にスイッチ３１、３１・・に対応する位置には、ボタン部材１０の押し込み操作に伴い前後方向へ移動する操作段部２１、２１・・が前方へ突設されている。また、カバー部材２０の後面で、各操作段部２１の後側となる位置には、操作段部２１の前後方向への移動に伴い対応するスイッチ３１に接触／離隔して該スイッチ３１を操作する操作突起２２が後方へ突設されている。さらに、各操作段部２１の基端部周囲は薄肉部２３とされており、該薄肉部２３は、操作段部２１側へ向かって前方へ傾斜する傾斜状に設けられ、操作段部２１を前方へ僅かに持ち上げている。加えて、各操作段部２１の上側には、支持段部２４が前方へ突設されている。なお、各支持段部２４は、各操作段部２１の上側にある薄肉部２３よりも更に上側に設けられている。また、支持段部２４の前後方向での最大突出高さは、操作段部２１の前後方向での最大突出高さより低くなっている。
【００１６】
そして、上記カバー部材２０は、各操作突起２２が対応するスイッチ３１の前側に位置するようにスイッチ基板３０の前側に配置される。また、操作突起２２の前面上に操作部１１を、支持段部２４の前面上に上辺部１２ａを夫々位置させて、ボタン部材１０、１０・・がカバー部材２０の前側に配置される。このとき、支持段部２４の前端が収納空間１３内に収納され、凸条１４の先端が支持段部２４の前面に当接した状態となっている。さらに、この状態から前ケース２をボタン部材１０、１０・・の前側に配置させる。つまり、前ケース２の後面側からボタン部材１０、１０・・の操作部１１、１１・・を対応する操作窓９、９・・に夫々挿通させて、操作部１１、１１・・を前ケース２から前方へ突出させる。そして、前ケース２と後ケースとをネジ止めして一体化する等すれば、各操作窓９の後面側の開口周縁と支持段部２４の前面とにより、各ボタン部材１０の上辺部１２ａが前後から挟持されることになり、がたつきが防止された状態でボタン部材１０、１０・・が取り付けられる。また、このような取付状態で各ボタン部材１０を押し込み操作すると、ボタン部材１０は、凸条１４の先端を支点として操作部１１側が回動するような格好で後側（本体ケース内側）へ押し込まれる。
【００１７】
以上のような構成を有する集合玄関機１によれば、ボタン部材１０の操作部１１に、その外周面の後端から外方へ突設された鍔片１２を設ける一方、カバー部材２０における操作段部２１の上側に、前方へ突出する支持段部２４を設けており、支持段部２４の前面上に鍔片１２の上辺部１２ａを位置させた状態で、操作窓９を介して操作部１１が前ケース２から前方へ突出するように前ケース２を配置させることで、操作窓９の後面側の開口周縁と支持段部２４の前面とにより、上辺部１２ａを前後から挟持させている。したがって、取付状態にあるボタン部材１０のがたつきを効果的に防止することができる。
【００１８】
また、上辺部１２ａの後面に、後方へ突出する凸条１４を左右方向に延設しており、ボタン部材１０の取付状態において、凸条１４の先端が支持段部２４の前面に当接するようにしている。したがって、ボタン部材１０を押し込み操作する際、凸条１４の先端が支点となって操作部１１が押し込まれることになり、押し込み操作をスムーズに行うことができる。
【００１９】
なお、本発明に係るインターホン機器は、インターホン機器の全体的な構成は勿論、ボタン部に係る構成等についても、本発明の趣旨を逸脱しない範囲で必要に応じて適宜変更することができる。
【００２０】
たとえば、上記実施形態では集合玄関機について説明しているが、本発明は、ボタン部さえ有するのであれば、インターホン子機やインターホン親機等の他のインターホン機器に対しても好適に採用することができる。
また、各操作段部の基端部周囲に設けられている薄肉部に関し、操作段部の上側に位置する薄肉部の厚みよりも、操作段部の下側に位置する薄肉部の厚みを薄くしたり、操作段部の上側に位置する薄肉部の上下方向長さよりも、操作段部の下側に位置する薄肉部の上下方向長さを長くしたりしてもよい。このような構成を採用することで、操作段部の下側に位置する薄肉部の方が撓みやすくなるため、押し込み操作を更にスムーズに行うことができるという効果がある。
【００２１】
さらに、上記実施形態では、１つの操作段部に対して１つの支持段部を設けるとしているが、操作段部の大きさ等によっては、１つの操作段部に対して２つ以上の支持段部を設け、１つのボタン部材の鍔片が２つ以上の支持段部に跨がって位置するようにボタン部材を取り付けるように構成することも可能である。
加えて、上記実施形態では、ボタン部材に上下左右一連の鍔片を設けているが、ボタン部材の上下のみに夫々独立した鍔片を設ける等してもよいし、収納空間や凸条を鍔片に設けるか否かについては適宜設計変更可能である。
【符号の説明】
【００２２】
１・・集合玄関機（インターホン機器）、２・・前ケース（本体ケース）、６・・ボタン部、９・・操作窓、１０・・ボタン部材、１１・・操作部、１２・・鍔片、１２ａ・・上辺部、１３・・収納空間、１４・・凸条、２０・・カバー部材、２１・・操作段部、２３・・薄肉部、２４・・支持段部、３０・・スイッチ基板、３１・・スイッチ。
【図１】
2020156050.tif 000003
【図２】
2020156050.tif 000004
【図３】
2020156050.tif 000005
【図４】
2020156050.tif 000006
【図５】
2020156050.tif 000007
【図６】
2020156050.tif 000008
【図７】
2020156050.tif 000009